(57)【要約】  【課題】  作業者が多数存在することや、移動する作業者の位置が不特定であることも考慮しつつ、位置特定精度を向上させ、管理区域内で作業する作業者に被曝状況についてのより正確な情報を報知するための放射線量モニタリングシステムを提供する。  【解決手段】  放射線量モニタリングシステム１０００は、ＲＦＩＤメモリ１００、線量計２００、通信装置３００、ネットワーク４００、監視装置５００、表示装置６００を備えるシステムであり、通信装置３００が線量計２００からＩＤデータ、放射線量データおよび作業者データを読み出して監視装置５００へ送信し、監視装置５００は、これらデータから作業者、位置および被曝状況についての報知データを生成して表示装置６００へ配信し、管理区域内の各作業者に被曝状況を報知する。【選択図】  図１
2006058220.tif 000002
【特許請求の範囲】
【請求項１】
放射線の管理区域内に配置され、固有のＩＤデータが登録されたＲＦＩＤメモリと、
ＲＦＩＤメモリからＩＤデータを読み出すリーダ機能と、付近における放射線量データを計測する計測機能と、を共に有し、作業者データを登録する線量計と、
管理区域内に配置され、線量計から受信したＩＤデータ、放射線量データおよび作業者データを中継して送信する通信装置と、
通信装置から送信されるＩＤデータ、放射線量データおよび作業者データを受信する監視装置と、
を有する放射線量モニタリングシステムであって、
前記監視装置は、
作業者データから作業者を特定する作業者特定手段と、
ＩＤデータと関連付けられて登録されたＲＦＩＤメモリ位置データを読み出して位置を特定する位置特定手段と、
放射線量データから被曝状況を特定する被曝状況特定手段と、
これら作業者、位置および被曝状況についての報知データを生成する生成手段と、
報知データの配信を行う配信手段と、
を備えることを特徴とする放射線量モニタリングシステム。
【請求項２】
請求項１記載の放射線量モニタリングシステムにおいて、
管理区域内で設置され、監視装置から出力されたテキスト形式の報知データに基づいて文字を表示する表示装置を備え、  
表示装置を通じて管理区域内の各作業者に被曝状況を報知する機能を有することを特徴とする放射線量モニタリングシステム。
【請求項３】
請求項１記載の放射線量モニタリングシステムにおいて、
管理区域内で設置され、監視装置から出力されたグラフィック形式の報知データに基づいて表示する表示装置を備え、  
表示装置を通じて放射線管理区域内の各作業者に被曝状況を通知する機能を有することを特徴とする放射線量モニタリングシステム。
【請求項４】
請求項１〜請求項３の何れか一項に記載の放射線量モニタリングシステムにおいて、
線量計は、監視装置から出力された報知データに基づく表示を行う表示器を備え、
線量計を通じて放射線管理区域内の個々の作業者に被曝状況を通知する機能を有することを特徴とする放射線量モニタリングシステム。
【請求項５】
請求項１〜請求項４の何れか一項に記載の放射線量モニタリングシステムにおいて、
前記線量計に代えて、
管理区域内における放射線量データを計測する計測機能を有し、作業者データを登録する線量計と、
ＲＦＩＤメモリからＩＤデータを読み出すリーダ機能を有するＲＦＩＤリーダと、
を別個を備え、
通信装置はＲＦＩＤリーダからＩＤデータを、また、線量計から放射線量データおよび作業者データをそれぞれ読み出すことを特徴とする放射線量モニタリングシステム。
【請求項６】
請求項１〜請求項５の何れか一項に記載の放射線量モニタリングシステムにおいて、
管理区域内外で通信するように構築されたネットワークを備え、
通信装置は管理区域内でネットワークと接続され、かつ、監視装置は管理区域外でネットワークと接続されることを特徴とする放射線量モニタリングシステム。
【発明の詳細な説明】
【技術分野】
【０００１】
本発明は、原子力発電所や核燃料処理施設などの放射線の管理区域内で作業する作業者に対して被曝状況を報知するための放射線量モニタリングシステムに関する。
【背景技術】
【０００２】
放射性同位元素等による放射線障害の防止に関する法律（昭和３２年法律第１６７号）の施行規則および告示等により、原子力発電所や核燃料処理施設という放射線取扱施設などでは管理区域が設定される。この放射線の管理区域は、外部被曝だけが問題になる区域（放射線管理区域）と内部被曝および外部被曝の両方が問題になる区域（汚染管理区域）とに分けられている。
【０００３】
線量計は、これら放射線管理区域または汚染管理区域（以下単に管理区域という）で放射線に関する各種データを測定するための装置である。この線量計に要求される条件は、コンパクトに作られて小型軽量で携帯に便利なこと、取扱や保守が容易なこと、応答時間が速いこと、エネルギー特性が良好で感度の方向依存性が無いこと、温度や湿度の変化に対して安定していること、電磁誘導の影響を受けないこと、などが挙げられる。 
【０００４】
さて、このような管理区域内における放射線管理を行う装置の一例として、放射線量を測定し、作業者に危険が及ばないようにするための放射線量モニタリングシステムが知られている。例えば特許文献１（特開２００２−３６５３６６号公報，発明の名称「電子式被曝線量計とそれを用いた放射線作業管理システム」）が知られている。この従来技術では、線量計から受信した複数のＰＨＳ受信基地局での信号により被曝者の位置を算出するというものである。
【０００５】
また、従来技術例として、例えば特許文献２（特開２００２−２７７５５０号公報，発明の名称「モニタリングシステム及びモニタリングシステム用携帯端末」）が開示されている。この従来技術は、所定の間隔を隔てて配置されたアンテナのうちから選択されたアンテナにより作業者位置を推定するというものである。
【０００６】
さらにまた、他の従来技術例として、例えば特許文献３（特開２００４−１２１９７号公報，発明の名称「放射線モニタシステム」）が開示されている。この従来技術は、放射線管理区域内のテレビカメラ映像により作業者位置を特定するというものである。
【０００７】
【特許文献１】特開２００２−３６５３６６号公報      （段落番号００２７，図５）
【特許文献２】特開２００２−２７７５５０号公報      （段落番号００３９〜００４１，図３）
【特許文献３】特開２００４−１２１９７号公報      （段落番号００１０〜００１５，図１〜図４）
【発明の開示】
【発明が解決しようとする課題】
【０００８】
特許文献１で開示された従来技術では、線量計から受信した複数のＰＨＳ受信局での信号により被曝者の位置を特定するものであるが、ＰＨＳの送信エリアは数１０ｍから１００ｍにも及び、さらに電波の反射や干渉の影響により、必ずしも強い電界強度で受信できた基地局の近くに被曝者がいるとは限らず、精度の点で問題があった。
【０００９】
また、特許文献２で示された従来技術では、所定の間隔を隔てて配置された複数アンテナの中から選択されたアンテナによって位置を特定するものであるが、複数アンテナと交信しないようにする場合はアンテナ間隔を広くする必要があり、位置特定はある程度の範囲を持ってしまう。アンテナ間隔を狭くすると、複数アンテナでの交信ができる状態となってしまい、位置特定が難しくなる。仮に電界強度の強いアンテナを選択するとした場合でも、反射・干渉などの発生により、必ずしも電界強度の強いアンテナの近くにいるとは限らず、精度の点で問題があった。
【００１０】
さらにまた、特許文献３の従来技術では、放射線管理区域内のテレビカメラを設置し、その映像情報を伝送し、監視装置によりその映像情報と線量計とを関連付けるものであるが、管理区域内全てを映し出すための複数台のテレビカメラ、映像情報を伝送するための高速伝送機器などが必要となり、設備として高機能ではあるが概して高価である。例えば機能を犠牲にして安価な設備を選択したいような場合には採用できないという問題があった。
【００１１】
そこで、本発明は上記した問題に鑑みてなされたものであり、その目的は、作業者が多数存在することや、移動する作業者の位置が不特定であることも考慮しつつ、位置特定精度を向上させ、管理区域内で作業する作業者に被曝状況についてのより正確な情報を報知するための放射線量モニタリングシステムを提供することにある。
【課題を解決するための手段】
【００１２】
上記課題を解決するため、本発明の請求項１に係る発明の放射線量モニタリングシステムは、
放射線の管理区域内に配置され、固有のＩＤデータが登録されたＲＦＩＤメモリと、
ＲＦＩＤメモリからＩＤデータを読み出すリーダ機能と、付近における放射線量データを計測する計測機能と、を共に有し、作業者データを登録する線量計と、
管理区域内に配置され、線量計から受信したＩＤデータ、放射線量データおよび作業者データを中継して送信する通信装置と、
通信装置から送信されるＩＤデータ、放射線量データおよび作業者データを受信する監視装置と、
を有する放射線量モニタリングシステムであって、
前記監視装置は、
作業者データから作業者を特定する作業者特定手段と、
ＩＤデータと関連付けられて登録されたＲＦＩＤメモリ位置データを読み出して位置を特定する位置特定手段と、
放射線量データから被曝状況を特定する被曝状況特定手段と、
これら作業者、位置および被曝状況についての報知データを生成する生成手段と、
報知データの配信を行う配信手段と、
を備えることを特徴とする。
【００１３】
また、本発明の請求項２に係る発明の放射線量モニタリングシステムは、
請求項１記載の放射線量モニタリングシステムにおいて、
管理区域内に設置され、監視装置から出力されたテキスト形式の報知データに基づいて文字を表示する表示装置を備え、  
表示装置を通じて管理区域内の各作業者に被曝状況を報知する機能を有することを特徴とする。
【００１４】
また、本発明の請求項３に係る発明の放射線量モニタリングシステムは、
請求項１記載の放射線量モニタリングシステムにおいて、
管理区域内で設置され、監視装置から出力されたグラフィック形式の報知データに基づいて表示する表示装置を備え、  
表示装置を通じて放射線管理区域内の各作業者に被曝状況を通知する機能を有することを特徴とする。
【００１５】
また、本発明の請求項４に係る発明の放射線量モニタリングシステムは、
請求項１〜請求項３の何れか一項に記載の放射線量モニタリングシステムにおいて、
線量計は、監視装置から出力された報知データに基づく表示を行う表示器を備え、
線量計を通じて放射線管理区域内の個々の作業者に被曝状況を通知する機能を有することを特徴とする。
【００１６】
また、本発明の請求項５に係る発明の放射線量モニタリングシステムは、
請求項１〜請求項４の何れか一項に記載の放射線量モニタリングシステムにおいて、
前記線量計に代えて、
管理区域内における放射線量データを計測する計測機能を有し、作業者データを登録する線量計と、
ＲＦＩＤメモリからＩＤデータを読み出すリーダ機能を有するＲＦＩＤリーダと、
を別個を備え、
通信装置はＲＦＩＤリーダからＩＤデータを、また、線量計から放射線量データおよび作業者データをそれぞれ読み出すことを特徴とする。
【００１７】
また、本発明の請求項６に係る発明の放射線量モニタリングシステムは、
請求項１〜請求項５の何れか一項に記載の放射線量モニタリングシステムにおいて、
管理区域内外で通信するように構築されたネットワークを備え、
通信装置は管理区域内でネットワークと接続され、かつ、監視装置は管理区域外でネットワークと接続されることを特徴とする。
【発明の効果】
【００１８】
このような本発明によれば、作業者が多数存在することや、移動する作業者の位置が不特定であることも考慮しつつ、位置特定精度を向上させ、管理区域内で作業する作業者に被曝状況についてのより正確な情報を報知するための放射線量モニタリングシステムを提供することができる。
【発明を実施するための最良の形態】
【００１９】
続いて、本発明を実施するための最良の形態について、図を参照しつつ説明する。図１は本形態の放射線量モニタリングシステムの構成図である。
放射線量モニタリングシステム１０００は、原子力発電所や核燃料処理施設などに設置され、管理区域内の放射線量を測定する装置である。このような放射線量モニタリングシステム１０００は、図１で示すように、ＲＦＩＤメモリ１００、線量計２００、通信装置３００、ネットワーク４００、監視装置５００、表示装置６００を備えている。
【００２０】
ＲＦＩＤメモリ１００は、固有のＩＤデータが登録され、ＲＦＩＤ（Radio Frequency Identification Device：超短波標識）技術を用いてこのＩＤデータを線量計２００と通信する機能を有している。また、パッシブ型とすることでバッテリは不要であり、安価であるという特徴を有している。このＲＦＩＤメモリ１００は、例えば、管理区域内で作業者が作業を行う作業対象物１に取付けられたり、作業者が行き来する通路付近の壁に取付けられるものである。なお、このＲＦＩＤメモリ１００のＲＦＩＤ技術を用いる通信については後述する。
【００２１】
線量計２００は、ＲＦＩＤメモリ１００からＩＤデータを読み出すリーダ機能と、管理区域内における放射線量データを計測する計測機能と、を共に有している。また、通信時に線量計２００を保有している作業者を認識するための作業者データを登録している。この線量計２００は、作業者が首からぶら下げたり、または、胸ポケットの中や腰ベルトのホルダの中に入れられている。
なお、線量計２００の詳細構成については後述する。
【００２２】
通信装置３００は、管理区域内に配置されている。そして、線量計２００と通信してＩＤデータ、放射線量データおよび作業者データを取得するとともに、ネットワーク４００を介して監視装置５００へこれらＩＤデータ、放射線量データおよび作業者データを送信する機能を有している。また、通信装置３００は、監視装置５００から送信されたコマンドやデータをネットワーク４００を介して受信するとともに、無線または有線で線量計２００や表示装置６００へ送信する機能を有している。なお、作業者が移動することを考慮して通信装置３００は無線であることが好ましい。
【００２３】
ネットワーク４００は、放射線の管理区域内外を結ぶネットワークである。有線接続された構成でもよいし、無線接続された構成でもよい。
例えば、図１で示すように、管理区域の事実上の仕切となる施設内の部屋の壁をケーブルが貫通し、このケーブルにより管理区域内外を結ぶ。
【００２４】
監視装置５００は、管理区域外でネットワーク４００に接続されるコンピュータなどであり、ネットワーク４００を介して通信装置３００から送信されたある線量計２００からのＩＤデータ、放射線量データおよび作業者データを受信して各種処理を行い、ネットワーク４００・通信装置３００を介して線量計２００・表示装置６００へコマンドやデータを送信する監視処理を行う。なお、監視処理の詳細は後述される。
【００２５】
表示装置６００は、管理区域内でネットワーク４００に接続され、管理区域内にいる作業者に被曝状況等の情報を報知するための表示器である。なお、表示装置６００は、図１で示すように通信装置３００と同一場所にあってもよいし、また、通信装置３００とは別の位置に設置されてもよい。
【００２６】
続いて、線量計２００について図を参照しつつ説明する。図２は線量計の内部構成図である。線量計２００はハンディタイプであり、例えば、図２で示すように、放射線量計測部２０１、制御部２０２、情報記憶部２０３、無線ＲＦ部２０４、通信アンテナ２０５、報知部２０６、操作入力部２０７、表示器２０８、ＲＦＩＤリーダ部２０９、ＲＦＩＤ用アンテナ２１０を備える。
【００２７】
放射線量計測部２０１は、各種放射線（α線，β線，γ線）を検出してデジタルの放射線量データに変換して出力する。
制御部２０２は、放射線量計測部２０１、情報記憶部２０３、無線ＲＦ部２０４、報知部２０６、操作入力部２０７、表示器２０８、ＲＦＩＤリーダ部２０９に接続され、線量計２００全体の動作を制御する。なお、実際の使用に伴う処理については後述する。
【００２８】
情報記憶部２０３は、各種データを登録するものであり、制御部２０２から送信された各種データが書き込まれたり、また、制御部２０２からデータが読み出される。例えば、取り外し可能に構成されたカードメモリなどを採用しても良い。なお、データの詳細についても後述する。
【００２９】
無線ＲＦ部２０４は、制御部２０２から送信されたコマンド・データなどを無線信号に変換して通信アンテナ２０５へ出力する。
通信アンテナ２０５は、無線信号を通信装置３００へ出力する。
また、通信アンテナ２０５が通信装置３００から送信された無線信号を受信して無線ＲＦ部２０４へ送信すると、無線ＲＦ部２０４は無線信号からデジタルのコマンド・データなどに変換して制御部２０２へ送信する。
【００３０】
報知部２０６は、監視装置５００から線量計２００に対して異常報知に関するコマンド・データが送信された場合に制御部２０２に制御されて異常を報知する。報知部２０６はブザーなどの音による報知の場合もあるし、ランプなどの視覚情報による報知の場合もある。なお、表示器２０８も含む本形態では報知部２０６を表示器２０８に含めるような構成としても良い。
操作入力部２０７は、作業員が操作入力して各種操作を行わせるものである。例えば、現在の累積被曝量を表示させるというものである。
表示器２０８は、グラフィック表示や帳票表示を行う。なお表示内容も後述する。
【００３１】
ＲＦＩＤリーダ部２０９とＲＦＩＤ用アンテナ２１０は、ＲＦＩＤメモリ１００へＩＤデータの読み出しコマンドを送信したり、読み出されたＩＤデータを受信するために用いられる。このＲＦＩＤ技術による通信について説明する。
まず、ＲＦＩＤメモリ１００の内部構造は、図示しないが、ＲＦＩＤアンテナに接続されたＩＣチップをプラスチックのカードに封入したＩＣカードであったり、ＲＦＩＤアンテナに接続されたＩＣチップをタグ（数ミリ角）の形状にしたＩＣタグである。また、これらＩＣカードまたはＩＣタグに共通して搭載されるＩＣチップはメモリのみ搭載した通常タイプであったり、または、メモリとＣＰＵを搭載したインテリジェントタイプであっても良い。
【００３２】
このＲＦＩＤメモリ１００では、データが読み書きできる距離によって「密着型（２ｍｍ以内）」、「近接型（１０ｃｍ以内）」、「近傍型（１ｍ以内）」といった分類があり、いずれの型でも採用が可能である。本形態では説明の具体化のため近傍型（１ｍ以内）の非接触型のＩＣタグによるＲＦＩＤメモリ１００であるものとして説明する。
【００３３】
さて制御部２０２、ＲＦＩＤリーダ部２０９、ＲＦＩＤ用アンテナ２１０、ＲＦＩＤメモリ１００とでは、制御部２０２からＲＦＩＤメモリ１００へＩＤデータの読み出しコマンドを送信し、ＲＦＩＤメモリ１００からＩＤデータを読み出すことができる。
これは詳しくは、以下のようなデータ通信がなされる。
【００３４】
ＲＦＩＤリーダ部２０９は、制御部２０２から出力された読み出しコマンドをキャリア信号に重畳して変調信号とし、さらにこの変調信号を増幅してＲＦＩＤメモリ１００への送信信号を生成し、ＲＦＩＤ用アンテナ２１０をドライブしてＲＦＩＤメモリ１００側に電波(電磁波）で送信信号を伝達して読み出しコマンドおよび電力をＲＦＩＤメモリ１００に送信する。ＲＦＩＤメモリ１００は、アンテナによって、上記送信信号を受信し、電源回路でキャリア信号から電源電圧を発生させると同時に、受信回路によって変調信号を復調して読み出しコマンドを生成してメモリからＩＤデータを読み出す。そして、送信回路によってＩＤデータをキャリア信号に重畳して変調信号を生成し、アンテナをドライブして電波(電磁波）で伝達する。ＲＦＩＤリーダ部２０９はＲＦＩＤ用アンテナ２１０によって変調信号を受信し、復調を行って、ＩＤデータを得て制御部２０２へ出力する。
線量計２００はこのようなものである。
【００３５】
続いて、本形態の放射線量モニタリングシステム１０００の利用方法について図を参照しつつ説明する。図３は線量計２００による監視処理のフローチャートである。
線量計２００を携帯した作業者が、放射線の管理区域内で作業対象物１を操作しているものとする。このような作業中、線量計２００は、図３で示すような監視処理を行っている。
【００３６】
まず制御部２０２は、最初に放射線量計測部２０１に放射線量を計測させるコマンドを送信して放射線量を計測させ（図３のステップＳ１）、出力される放射線量データを受信し、この放射線量データを情報記憶部２０３に記憶させる（図３のステップＳ２）。
続いて、制御部２０２は、ＲＦＩＤメモリ１００に登録されているＩＤデータを読み込み（図３のステップＳ３）、このＩＤデータを情報記憶部２０３に記憶させる（図３のステップＳ４）。
【００３７】
先に説明したようにＲＦＩＤメモリ１００は近傍型で詳しくは１ｍ程度の距離に近づけないと読み書きできないタイプであるため、作業者がＲＦＩＤメモリ１００の付近にいないとＩＤデータを読み出せない。換言すれば、ＲＦＩＤメモリ１００の付近１ｍの範囲内に線量計２００が位置することとなり、放射線量データを取得した位置がＩＤデータにより特定され、放射線量データの取得位置を正確にすることができる。
【００３８】
図３のフローに戻るが、続いて放射量データに変化があったか否かを判断し（図３のステップＳ５）、続いてＩＤデータが変化したか否か、つまり作業者が移動したか否かを判断する（図３のステップＳ６）。このステップＳ５，ステップＳ６では、放射線変化がなく（図３のステップＳ５でＮＯ）、かつＩＤデータの変化がない（図３のステップＳ６でＮＯ）場合のみ情報を送信しないでステップＳ１へ戻る。計測当初は過去のデータがなく変化が検出できないため、ステップＳ１へ戻る。
【００３９】
続いて、ステップＳ１〜ステップＳ４を行って新たに放射線量データ、ＩＤデータを取得する。続いて放射線量データに変化があったか否かを判断し（図３のステップＳ５）、変化があった場合には、放射線量データおよびＩＤデータに加え、登録してある作業者データを情報送信する（図３のステップＳ７）。制御部２０２は、無線ＲＦ部２０４、通信アンテナ２０５、通信装置３００、ネットワーク４００を介して、監視装置５００へ放射線量データ、ＩＤデータおよび作業者データを送る。
【００４０】
また、放射線量に変化がなかった場合でも、ＩＤデータに変化があったか否かを判断し（図３のステップＳ６）、変化があった場合には、放射線量データおよびＩＤデータに加え、登録してある作業者データを情報送信する（図３のステップＳ７）。制御部２０２は、無線ＲＦ部２０４、通信アンテナ２０５、通信装置３００、ネットワーク４００を介して、監視装置５００へ放射線量データ、ＩＤデータおよび作業者データを送る。
【００４１】
以下、ステップＳ１〜ステップＳ７を繰り返して、放射線量データかＩＤデータの何れかに変化があった場合には放射線量データ、ＩＤデータおよび作業者データを監視装置５００へ送信する。
【００４２】
なお、線量計２００が自律的に送信するのみならず、通信装置３００からのコマンドに応じて、他律的に情報送信するようにしても良い。このような他律的な情報送信について図を参照しつつ説明する。図４は線量計２００による他の監視処理のフローチャートである。線量計２００を携帯した作業者が、放射線の管理区域内で作業対象物１を操作しているものとする。このような作業中、線量計２００は、図４で示すような監視処理を行っている。
【００４３】
まず制御部２０２は、最初に放射線量計測部２０１に放射線量を計測させるコマンドを送信して放射線量を計測させ（図４のステップＳ１０）、出力される放射線量データを受信して放射線量データとして情報記憶部２０３に記憶させる（図４のステップＳ１１）。
【００４４】
続いて、制御部２０２は、通信アンテナ２０５・無線ＲＦ部２０４を経て監視装置３００から送信されるコマンドを所定期間にわたり待ち受け（図４のステップＳ１２）、コマンドが受信された場合（図４のステップＳ１３でＹＥＳ）、続いてＲＦＩＤメモリ１００から登録されているＩＤデータを読み込み（図４のステップＳ１４）、このＩＤデータを情報記憶部２０３に記憶させる（図４のステップＳ１５）。この新しい放射線量データおよびＩＤデータに加え、予め登録してある作業者データを情報送信する（図４のステップＳ１６）。
以下、ステップＳ１０〜ステップＳ１６を繰り返して、コマンド送信がなされる都度、放射線量データ、ＩＤデータおよび作業者データを監視装置５００へ送信する。
このような通信方式を採用しても良い。
【００４５】
さて、上記したように線量計２００から放射線量データ、ＩＤデータおよび作業者データが送信されると、監視装置５００は監視処理を行う。
まず、監視装置５００では放射線量データ、ＩＤデータおよび作業者データを取得する。続いて、作業者データから作業者を特定する。作業者データは、例えば富士太郎，富士花子という人の名前を表す文字データであったり、または、Ａ○×△□という識別コードであっても良い。
【００４６】
続いて、監視装置５００は、ＩＤデータと関連付けられて登録されたＲＦＩＤメモリ位置データを読み出して位置を特定する。ＲＦＩＤメモリ位置データは例えばＡ領域，Ｂ領域という文字データや、地図上で領域を表す座標データなどである。
【００４７】
続いて、監視装置５００は、放射線量データから被曝状況を特定する。放射線量データから、当該位置で被曝した瞬時被曝量を表す瞬時被曝量データ、当該作業者の累積被曝量である累積被曝量データ、残り作業時間である残り作業時間データをそれぞれ算出する。このようにある場所に位置するある作業者について、当該位置で被曝した瞬時被曝量、累積被曝量、残り作業時間が得られる。
【００４８】
監視装置５００は、得られた情報からこれら作業者、位置および被曝状況についての報知データを生成する。この報知データは例えば二種あり、後述する。
監視装置５００は、この報知データの配信を表示装置６００に対して行う。これにより、表示装置６００を通じて管理区域内の各作業者に被曝状況を報知することとなる。
【００４９】
さて、表示装置６００による表示形式は各種あり、これら表示形式について図を参照しつつ説明する。図５はテキスト形式の表示の説明図である。表示装置６００は図５で示すようなテキスト形式で文字表示を行うようにしてもよい。表示装置６００には、作業者名、作業位置、瞬時被曝量、累積被曝量、残り作業時間を、作業者名別に表示している。
さらに、作業者の危険レベルを色分けして、残り時間０時間００分（上段）では危険を表す色（例えば赤）、残り時間０時間１５分（中段）では注意を表す色（例えば黄色）、残り時間４時間３３分（下段）で正常状態を表す色（例えば白）などを背景色として示すようにしている。
【００５０】
そこで報知データは、テキストデータである作業者データ、テキストデータであるＲＦＩＤメモリ位置データ、テキストデータである瞬時被曝量データ、テキストデータである累積被曝量データ、テキストデータである残り作業時間データを一セットとするデータ群を多数セット備え、さらにこれらデータ群を所定位置に配置する帳票データ、および帳票の背景色を決定する背景データなどが合成されたデータとなる。監視装置５００はこのような報知データを生成して、表示装置６００へ送信する。
【００５１】
このように監視装置５００が算出した各作業者の被曝情報をネットワーク４００を介して表示器６００に表示させることで、管理区域内の各作業者に自分の被曝状況を認識させるとともに、周囲にいる作業者にも知らせることができ、注意を促すことができる。
【００５２】
また、このようなテキスト形式の表示以外にも、グラフィック形式として表示することもできる。このグラフィック形式の表示について図を参照しつつ説明する。図６はグラフィック形式の表示の説明図である。図６では、管理区域上を上から眺めた平面図が図示されており、１０はＲＦＩＤメモリ１００が取付けられた作業対象物をシンボリックに表した作業対象物シンボル、１１は作業者をシンボリックに表した作業者シンボル、１２は壁をシンボリックに表した壁シンボルである。さらに、作業者シンボル１１は被曝状況に応じて色分けされた表示がなされている。さらに累積被曝量は上記の色分けに加えて数値での表示も行う。
【００５３】
そこで報知データは、図形シンボルとして表す図形データによる作業者データ、座標データによるＲＦＩＤメモリ位置データ、残り作業時間データに応じた色データ、テキストデータである累積被曝量データを一セットとし、作業者シンボル１１の地図上の位置と、作業者シンボル１１の危険状態を表す色と、作業者シンボル１１の近傍での累積放射線量の数値と、を特定する地図上作業者シンボルデータを生成し、以下同様に多数セットを決定していく。
最後に管理区域を表し、作業対象物シンボル１０、壁シンボル１２を含む地図データ上にこの地図上作業者シンボルデータを位置を合わせて合成し、最終的な報知データとする。監視装置５００はこのような報知データを生成して、表示装置６００へ送信する。
【００５４】
このように予め監視装置５００内で保持している作業現場の地図データに、作業者の保持する線量計２００から送られてくる情報を組み合わせて、地図上に作業者とその累積被曝量を表し、表示装置６００に表示させることで、作業者に累積被曝量を教えることもできる。
なお、図７では累積被曝量を数値でも表したが、数値表示はしなくとも良い。
【００５５】
また、他のグラフィック形式として表示することもできる。このグラフィック形式の表示について図を参照しつつ説明する。図７は他のグラフィック形式の表示の説明図である。図７では、管理区域上を上から眺めた平面図が図示されており、１０はＲＦＩＤメモリ１００が取付けられた作業対象物をシンボリックに表した作業対象物シンボル、１２は壁をシンボリックに表した壁シンボル、１３はある領域における被曝量をシンボリックに表した領域被曝量シンボル、である。さらに、領域被曝量シンボル１３は被曝状況に応じて色分けされた表示がなされている。
【００５６】
そこで報知データは、図形シンボルとして表す図形データによる被曝領域データ、座標データによるＲＦＩＤメモリ位置データ、残り作業時間データに応じた色データを一セットとして、領域被曝量シンボルの地図上の位置と、領域被曝量シンボルの危険状態を表す色と、を特定する地図上領域被曝量シンボルデータを生成し、以下同様に多数セットを決定していく。
最後に管理区域を表し、作業対象物シンボル１０、壁シンボル１２を含む地図データ上にこの地図上領域被曝量シンボルデータを位置を合わせて合成し、最終的な報知データとする。監視装置５００はこのような報知データを生成して、表示装置６００へ送信する。
【００５７】
この図７で示すように、作業者の被曝状況を領域別にピンポイントで地図上に表し、それを表示装置６００に表示することで各作業者に各作業場所の被曝量を報知し、危険防止につなげることができる。
【００５８】
さらに、このようなテキスト形式およびグラフィック形式の表示を線量計２００の表示器２０８に行わせることもできる。
監視装置５００が表示装置６００への報知データの配信時と同時または異なる時に、通信装置３００・通信アンテナ２０５・無線ＲＦ部２０４を経て制御部２０２へ報知データを配信する。そして制御部２０２が報知データに基づく表示を表示器２０８に行わせることで、先の図５〜７の表示例と同様の表示をするため、線量計２００を通じて管理区域内の個々の作業者に被曝状況を通知することができる。さらに線量計２００の報知部２０６により音声による報知や点灯・点滅による報知を加えても良い。
放射線量モニタリングシステムはこのようにしても良い。
【００５９】
以上本形態の放射線量モニタリングシステムについて説明した。
なおＲＦＩＤメモリ１００を作業対象物１だけでなく、作業者が通る通路などにも貼り付けると、作業者がいつ、どのルートを通って、今どこにいる、今どの方向に向かっているなど、作業者の動線管理もできるので、常に作業者のいる場所を監視することができ、危険防止に役立つという利点もある。
このＲＦＩＤメモリ１００の通信可能領域はほぼ１ｍであるため、例えば、１ｍ間隔の格子状の各点にＲＦＩＤメモリ１００を設置すれば、ほぼ全領域にわたり監視ができるようになる。
【００６０】
また、本形態では線量計２００がＲＦＩＤリーダ部２０９およびＲＦＩＤ用アンテナ２１０を含むものとして説明したが、当然ＲＦＩＤリーダ部２０９と線量計２００とは別体とし、その間を有線通信または無線通信とすることで、ＲＦＩＤ情報を線量計に取り込む構成としても良い。例えば、線量計２００を作業者が首からぶら下げ、またＲＦＩＤリーダ部２０９を胸ポケットの中や腰ベルトのホルダの中に入れて有線または無線により線量計２００とＲＦＩＤリーダ部２０９とが接続された機器とし、重量等を分散させることで作業者の負担を軽減させることもできる。
【００６１】
このような放射線量モニタリングシステム１０００では、線量計２００は放射線の管理区域内のＲＦＩＤメモリ１００からＩＤデータを読み出すリーダを内蔵し、ＲＦＩＤメモリ１００は交信エリアが数１０ｃｍから１ｍ程度であるので、作業者が作業する場所に貼り付けてあれば、干渉の影響もなく、正確な場所の特定が可能となる。多数いる作業者の習熟度・個人差もに影響されることなく同じ監視地点での正確な計測を可能とすることができる。
また、作業者が移動しても線量計２００の作業者データにより所有者が特定され、また、ＩＤデータにより位置が特定されるため、作業者が多数存在することや、移動する作業者の位置が不特定であっても、これらに影響されることなく管理が可能となる。
【００６２】
また、帳票表示を採用して定量的に環境変化を検出できるようにしたり、また、グラフフィック表示を採用して、視覚的・直感的に環境変化を検出できるようにしたため、この点で作業者が環境変化を気づきやすくしている。
【図面の簡単な説明】
【００６３】
【図１】本発明を実施するための最良の形態の放射線量モニタリングシステムの構成図である。
【図２】線量計の内部構成図である。
【図３】線量計による監視処理のフローチャートである。
【図４】線量計による他の監視処理のフローチャートである。
【図５】テキスト形式の表示の説明図である。
【図６】グラフィック形式の表示の説明図である。
【図７】他のグラフィック形式の表示の説明図である。
【符号の説明】
【００６４】
１０００：放射線量モニタリングシステム
１００：ＲＦＩＤメモリ
２００：線量計
２０１：放射線量計測部
２０２：制御部
２０３：情報記憶部
２０４：無線ＲＦ部
２０５：通信アンテナ
２０６：報知部
２０７：操作入力部
２０８：表示器
２０９：ＲＦＩＤリーダ部
２１０：ＲＦＩＤ用アンテナ
３００：通信装置
４００：ネットワーク
５００：監視装置
６００：表示装置
１：作業対象物
１０：作業対象物
１１：作業対象物シンボル
１２：壁シンボル
１３：領域被曝量シンボル
【図１】
2006058220.tif 000003
【図２】
2006058220.tif 000004
【図３】
2006058220.tif 000005
【図４】
2006058220.tif 000006
【図５】
2006058220.tif 000007
【図６】
2006058220.tif 000008
【図７】
2006058220.tif 000009